(57)【特許請求の範囲】
【請求項１】
クリップ本体およびホストコンピュータと通信する通信手段を備える無線装置付きクリップと、
通信電波に基づいて、前記無線装置付きクリップの位置を検出し、クリップの位置を追跡するホストコンピュータとから構成される無線装置付きクリップシステムであって、
前記無線装置付きクリップは、ホストコンピュータから送信されてくるデータを受信することにより、通信電波の電波強度を調整する電波調整手段を備え、
前記ホストコンピュータは、前記電波調整手段に対して、通信電波の強度を調整するデータを送信することによって通信可能範囲を調整することを特徴とする無線装置付クリップシステム。
【請求項２】
前記無線装置付きクリップは記憶手段を備え、記憶手段に記憶されたデータを通信手段によって一定の発信間隔でホストコンピュータに送信することを特徴とする請求項１記載の無線装置付クリップシステム。
【請求項３】
前記記憶手段は、通信電波の前記発信間隔を決定する発信間隔データを記憶し、前記無線装置付きクリップは、ホストコンピュータから送信された発信間隔データを受信して記憶手段に記憶し、この受信した発信間隔データに基づいて発信間隔を変更することを特徴とする請求項２記載の無線装置付クリップシステム。
【請求項４】
前記記憶手段は、ホストコンピュータから送信されたデータおよびデータの受信日時を記憶し、前記無線装置付きクリップは、ホストコンピュータから送信されたデータの受信日時を記憶することで、受信したデータの履歴を保持することを特徴とする請求項２記載の無線装置付クリップシステム。
【請求項５】
前記無線装置付きクリップは、前記記憶手段に記憶されたデータの内容を表示する表示手段を備えることを特徴とする請求項２〜４のいずれか一つに記載の無線装置付クリップシステム。
【請求項６】
前記無線装置付クリップは、ホストコンピュータから送信された回付期限データおよび回付先データの少なくとも一方を有する回付データを記憶手段に記憶し、前記回付データを表示手段に表示することを特徴とする請求項５記載の無線装置付クリップシステム。
【請求項７】
前記ホストコンピュータは、電子メールを送信する送信手段を備え、クリップが予め設定した位置に達したことを検出すると、ホストコンピュータは、該位置に達したことを電子メールで知らせることを特徴とする請求項１〜６のいずれか一つに記載の無線装置付クリップシステム。
【発明の詳細な説明】
【０００１】
【発明の属する技術分野】
本発明は、書類等を挟むクリップとその位置を検出するホストコンピュータとからなる無線装置付クリップシステムに関する。
【０００２】
【従来の技術】
書類などを回付する際、書類が散乱しないようにクリップで挟んで固定し、所定の順序および範囲内で書類などを回付する。そのクリップには、回付先および回付期限などを書き込んで表示するだけのものであった。
【０００３】
また、実開平５−５３９８２号公報および実開平５−５３９８３号公報記載の電子式クリップは、先端部分にスイッチを有し、書類などを挟んだ時間を自動で記憶して表示することができる。
【０００４】
【発明が解決しようとする課題】
書類などの回付では、正しい順序で回付できるように、回付順序を回付する人が予め覚えておくか、回付順序を記した用紙を添付したりする必要がある。また、書類などは速やかに回付しなければならないが、従来のクリップでは、どこかで止まっていても、その場所がわからないという問題がある。
【０００５】
前述の電子式クリップでは、書類を挟んだ時間を表示するだけであって、次に回付する場所の指示や回付している書類などの場所の特定はできない。
【０００６】
本発明の目的は、書類などを効率よく回付することができる無線装置付クリップシステムを提供することである。
【０００７】
【課題を解決するための手段】
本発明は、クリップ本体およびホストコンピュータと通信する通信手段を備える無線装置付きクリップと、
通信電波に基づいて、前記無線装置付きクリップの位置を検出し、クリップの位置を追跡するホストコンピュータとから構成される無線装置付きクリップシステムであって、
前記無線装置付きクリップは、ホストコンピュータから送信されてくるデータを受信することにより、通信電波の電波強度を調整する電波調整手段を備え、
前記ホストコンピュータは、前記電波調整手段に対して、通信電波の強度を調整するデータを送信することによって通信可能範囲を調整することを特徴とする無線装置付クリップシステムである。
【０００８】
本発明に従えば、無線装置付クリップの通信手段からの通信電波を受信することで、ホストコンピュータは無線装置付クリップの位置を検出することができるので、無線装置付クリップに挟まれた回付書類などの位置が追跡され、効率よく回付することができる。また、電波調整手段によって通信可能範囲を調整することで、たとえばアンテナの密度に応じて、位置検出する範囲を最適な範囲に設定することができる。
【００１１】
また本発明は、前記無線装置付きクリップは記憶手段を備え、
記憶手段に記憶されたデータを通信手段によって一定の発信間隔でホストコンピュータに送信することを特徴とする。
【００１２】
本発明に従えば、無線装置付クリップは、定期的に発信して位置検出を行うことで、無線装置付クリップの位置が移動しても確実に位置検出でき、位置検出精度を高めることができる。
【００１３】
また本発明は、前記記憶手段は、通信電波の前記発信間隔を決定する発信間隔データを記憶し、
前記無線装置付きクリップは、ホストコンピュータから送信された発信間隔データを受信して記憶手段に記憶し、この受信した発信間隔データに基づいて発信間隔を変更することを特徴とする。
【００１４】
本発明に従えば、ホストコンピュータから送信された発信間隔がクリップに送信され、発信間隔を変更することで、たとえば書類などの回付速度に応じて最適な発信間隔に設定でき、これによって無線装置付クリップの消費電力を抑えることができる。
【００１５】
また本発明は、前記記憶手段は、ホストコンピュータから送信されたデータおよびデータの受信日時を記憶し、
前記無線装置付きクリップは、ホストコンピュータから送信されたデータの受信日時を記憶することで、受信したデータの履歴を保持することを特徴とする。
【００１６】
本発明に従えば、ホストコンピュータからデータが送付された場合に、受信したデータと受信した日時とを記憶するので、受信したデータの履歴を保持することができる。
【００１７】
また本発明は、前記無線装置付きクリップは、前記記憶手段に記憶されたデータの内容を表示する表示手段を備えることを特徴とする。
【００１８】
本発明に従えば、ホストコンピュータから受信したデータの一部を無線装置付クリップ上の表示手段によって、表示することができる。
【００１９】
また本発明は、前記無線装置付クリップは、ホストコンピュータから送信された回付期限データおよび回付先データの少なくとも一方を有する回付データを記憶手段に記憶し、
前記回付データを表示手段に表示することを特徴とする。
【００２０】
本発明に従えば、ホストコンピュータから受信した回付期限、回付先などの回付データを無線装置付クリップ上の表示領域に表示するので、無線装置付クリップに挟まれる書類などを効率よく回付することができる。
【００２１】
また本発明は、前記ホストコンピュータは、電子メールを送信する送信手段を備え、
クリップが予め設定した位置に達したことを検出すると、ホストコンピュータは、該位置に達したことを電子メールで知らせることを特徴とする。
【００２２】
本発明に従えば、無線装置付クリップが所定の場所、たとえば回付終了場所に達すると、回付が終了したことをホストコンピュータが電子メールで回付を開始した人などに知らせることができる。
【００２３】
【発明の実施の形態】
本発明の実施の一形態である無線装置付クリップシステムは、無線装置付クリップとホストコンピュータとから構成される。
【００２４】
まず、ホストコンピュータで指定されたデータが無線装置付クリップに送信される。送信されたデータは無線装置付クリップが備える通信手段によって受信され、各データ記憶領域を含む記憶手段に記憶される。無線装置付クリップに挟まれた書類等は順次人手によって回付されるが、一定の発信間隔で記憶されたデータに基づいて、無線装置付クリップからホストコンピュータに対して自身の識別子データを送信する。この識別子データをホストコンピュータが受信する際にどのアンテナで受信したかという情報を利用することにより、無線装置付クリップの位置が検出される。
【００２５】
図１は、無線装置付クリップ（以下単に「クリップ」とも言う）１０の構成を示すブロック図である。クリップ１０は、ＣＰＵ（中央演算処理装置）１１、表示部１２、表示制御部１３、不揮発性メモリ１４、メインメモリ１５、時刻発生装置１６、バッテリ１７、無線通信制御部１８およびアンテナ１９を含んで構成される。
【００２６】
ＣＰＵ１１はクリップ１０全体を制御する中枢部である。不揮発性メモリ１４は主にＲＯＭ（リードオンリメモリ）が利用され、クリップ１０の制御プログラムを保持する。メインメモリ１５は発信間隔データ、受信日時データ、回付期限データ、回付先データおよび各種の変数などを記憶する記憶手段である。表示部１２は主にＬＣＤ（液晶表示装置）が利用され、表示制御部１３によって制御されてメインメモリ１５に記憶された各データを表示する表示手段である。時刻発生装置１６は現在時刻を発生する。バッテリ１７は、各装置を駆動するとともに、メインメモリ１５に記憶された内容が消えないようにする。無線通信制御部１８は、アンテナ１９を通じて、ＣＰＵ１１から指示されたデータを送信し、また、ホストコンピュータから送信されたデータを受信する通信手段である。
【００２７】
図２は、ホストコンピュータ２０の構成を示すブロック図である。ホストコンピュータ２０は、ＣＰＵ（中央処理装置）２１、表示部２２、表示制御部２３、キーボード２４、キーボード制御部２５、不揮発性メモリ２６、メインメモリ２７、時刻発生装置２８、無線通信制御部２９、複数のアンテナ２１０，２１１、電子メール送信部２１２、および通信制御部２１３を含んで構成される。
【００２８】
ＣＰＵ２１はホストコンピュータ２０全体を制御する中枢部である。不揮発性メモリ２６は主にＲＯＭ、ハードディスクドライブが利用され、ホストコンピュータ２０を制御するプログラムを保持する。メインメモリ２７は各種の変数、データを保持する。表示部２２は主にＬＣＤ、ＣＲＴが利用され、表示制御部２３によって制御されて表示を行う。キーボード２４はユーザからの文字入力などのキー入力を検知し、キーボード制御部２５を通してＣＰＵ２１で処理される。時刻発生装置２８は現在時刻を発生する。無線通信制御部２９はアンテナ２１０，２１１を通じて、ＣＰＵ２１から指示されたデータをクリップ１０に送信し、また、クリップ１０から送信されたデータを受信する。電子メール送信部２１２はＣＰＵ２１からの指示により電子メールの送信処理を行う送信手段である。通信制御部２１３はＣＰＵ２１から指示されたデータをネットワーク２１４に出力する処理を行う。
【００２９】
ホストコンピュータ２０は、クリップ１０の無線通信制御部１８からアンテナ１９を通じて通信電波として送信される識別子データをアンテナ２１０，２１１を通じて無線通信制御部２９で受信する。このとき、通信電波を受信したアンテナによってクリップ１０の位置を検出する。
【００３０】
以下、本発明の無線装置付クリップシステムの処理動作について、図３〜図４のフローチャート、図５のクリップ外観図、図６〜図１０の画面イメージおよび図１１〜図１８のデータ形式を用いてさらに詳しく、以下の各ステップ（Ｓ）にしたがって説明する。
【００３１】
図３は、クリップ１０の処理動作を示すフローチャートである。
まず、ステップＳ３１では、図１４に示すクリップ上の受信コマンドの履歴を保持するＣ＿ＨＩＳにアクセスするためのインデックス変数ｈｉを０に初期化する。
【００３２】
次に、ステップＳ３２では、ホストコンピュータ２０からデータを受信したかどうか、また受信した場合にはそのクリップ１０宛かどうかを受信データのＩＤ部を参照して判断し、そのクリップ１０宛のデータを受信した場合にはステップＳ３３へ、そうでない場合にはステップＳ３１８へ進む。受信データはＣ＿ＲＤ領域に保持される。データの形式は図１１に示すようにＩＤ、コマンドおよびデータから構成される。
【００３３】
ステップＳ３３では、受信データＣ＿ＲＤのコマンドの種類をチェックする。「書き込み」コマンドの場合にはステップＳ３４へ、「回付先変更」コマンドの場合にはステップＳ３７へ、「位置データ」コマンドの場合にはステップＳ３８へそれぞれ進む。
【００３４】
ステップＳ３４では、Ｃ＿ＲＤに保持されている、回付情報データをＣ＿ＤＡＴＡに保持する。Ｃ＿ＤＡＴＡは図１２に示すように、ＩＤ、部門名、入力者名、発信間隔、回付期限、電波強度および回付先１、回付先２…回付先Ｎから構成される。
【００３５】
Ｃ＿ＨＩＳのデータ構造は図１４に示すように更新毎の日時とデータとから構成され、ステップＳ３５では履歴を保持するため、現在日時をＣ＿ＨＩＳ［ｈｉ］．日時領域に、受信データ全体をＣ＿ＨＩＳ［ｈｉ］．データ領域に書き込み、受信したデータの履歴を保持してステップＳ３６に進む。
【００３６】
ステップＳ３６では、ｈｉを１増やし、ステップＳ３２に戻る。
ステップＳ３７では、Ｃ＿ＲＤのコマンド部として回付先変更が指定されており、Ｃ＿ＲＤのデータ部としては、変更される回付データ全体が保持されている。このＣ＿ＲＤのデータ部をクリップ１０内の回付情報を保持するＣ＿ＤＡＴＡの回付先部に書き込み、表示部１２に回付先を表示してステップＳ３５に進む。
【００３７】
ステップＳ３８では、Ｃ＿ＲＤのコマンド部として、位置データが指定されており、Ｃ＿ＲＤのデータ部としては、現在位置が保持されている。このデータ部を現在位置を保持する変数Ｃ＿ＰＯＳに書き込む。
【００３８】
ステップＳ３９では、回付情報Ｃ＿ＤＡＴＡの回付先部に現在位置Ｃ＿ＰＯＳが含まれているかをチェックするためのインデックス変数ｉを０に初期化する。
【００３９】
次に、ステップＳ３１０では、ｉ番目の回付先のＡＴ部と現在位置Ｃ＿ＰＯＳが一致するかどうかをチェックし、一致する場合にはステップＳ３１４へ、一致しない場合にはステップＳ３１１へ進む。ステップＳ３１１では、次の回付先を調べるため、ｉを１増やしてステップＳ３１２に進み、ｉ番目の回付先のＡＴ部が回付データの終了を示す「−１」であるかどうかをチェックし、データがない場合にはステップＳ３１３へ進み、まだデータがある場合にステップＳ３１０へ戻る。
【００４０】
ステップＳ３１３では、回付先でない旨の表示を行う。表示にあたっては、図５の表示部１２を使用する。ステップＳ３１４に進み一致したｉを現在の回付先を示すインデックス変数ｓｉに書き込む。ステップＳ３１５では現在の回付先の次のデータのＡＴ部がデータの終了を示す「−１」であるかどうか、つまり、現在の回付先が最終の回付先であるかどうかをチェックし、最終である場合にはステップＳ３１６へ、そうでない場合には、ステップＳ３５に進む。
【００４１】
ステップＳ３１６では、図１３に示す送信用データ領域Ｃ＿ＳＤのＩＤ部にクリップ固有の識別子Ｃ＿ＩＤを、Ｃ＿ＳＤのコマンド部に「回付終了」を設定する。Ｃ＿ＩＤは不揮発性メモリ１４に保持され、予め設定されているものとする。ステップＳ３１７では、図５のクリップ外観図のアンテナ１９を通じて発信する。ステップＳ３１８では、回付データの書き込みが行われているかどうかをチェックするため、Ｃ＿ＤＡＴＡのＩＤ部が設定されているかを確認する。ＩＤ部が「−１」であれば書き込みが行われていないことを表す。書き込みが行われていない場合にはステップＳ３２３へ、行われている場合にはステップＳ３１９へ進む。
【００４２】
ステップＳ３１９では、時刻発生装置１６からの現在日時と、メインメモリ１５に記憶されている発信間隔データから導き出される発信時刻とを比較し、一致する場合にはステップＳ３２０へ、一致しない場合にはステップＳ３２４へ進む。発信時刻を導き出す手段としては、たとえば、１０分間隔に発信する場合、時刻の分の単位を１０で割り、余りが０であるかどうかをチェックするなどの手法を用いる。
【００４３】
ステップＳ３２０では、発信する電波強度として、回付データＣ＿ＤＡＴＡの電波強度の内容を設定し、ステップＳ３２１に進み、クリップに固有の識別子Ｃ＿ＩＤを送信データ領域Ｃ＿ＳＤのＩＤ部に、「位置送信」をコマンド部に設定することでクリップ１０が発信する電波強度を調整し、通信可能範囲を調整する。
【００４４】
ステップＳ３２２では、設定されたＣ＿ＳＤをアンテナ１９経由で発信し、ステップＳ３２に戻る。
【００４５】
ステップＳ３２３では、クリップ上に回付データがないことを表示部１２に表示する。
【００４６】
ステップＳ３２４では、現在の回付先が最終回付先であるかどうかをチェックし、最終であるときはステップＳ３２７へ、そうでないときはステップＳ３２５へ進む。ステップＳ３２５では、次の回付先のあて先を保持するＮａｍｅ部を表示部１２に表示する。
【００４７】
ステップＳ３２６では、回付期限データを表示部１２に表示し、ステップＳ３２に戻る。
【００４８】
ステップＳ３２７では、次の回付先がないことを表示部１２に表示し、ステップＳ３２６へ進む。
【００４９】
次に、図４にホストコンピュータ２０の処理動作のフローチャートを示す。また、図１５〜図１８の領域はメインメモリ２７上に確保される。
【００５０】
まず、ステップＳ４１で、図６の初期画面５３を表示部２２に表示し、ステップＳ４２に進む。ステップＳ４２では、指示するイベントに応じて、処理を分岐する。「データ登録」が指示された場合にはステップＳ４３へ、「回付先変更」が指示された場合にはステップＳ４７へ、「位置問い合わせ」が指示された場合にはステップＳ４１１へ、データを受信した場合にはステップＳ４１４へ進む。
【００５１】
ステップＳ４３では、図７のデータ登録画面５４を表示部２２に表示し、ステップＳ４４では、図７の画面上で、キーボード２４を利用して各項目を入力する。
【００５２】
ステップＳ４５では、入力された各項目を図１５の送信用データ領域Ｈ＿ＳＤのデータ部に構築する。Ｈ＿ＳＤの構成はＣ＿ＤＡＴＡと同じである。回付先に選択された名前を図１６（ｂ）に示すアンテナ位置リストＨ＿ＡＴから検索し、インデックスをＡＴ部に設定する。また、Ｈ＿ＳＤのコマンド部には「書き込み」を設定する。ＩＤ部には、登録するクリップに固有の識別子Ｃ＿ＩＤを設定し、ステップＳ４６に進んで、Ｈ＿ＳＤを送信する。
【００５３】
ステップＳ４７では、図８の回付先変更画面５５を表示部２２に表示し、ステップＳ４８では、図８の画面上で、キーボード２４を利用して回付先を入力する。ステップＳ４９で、入力された回付先データを送信用データ領域のＨ＿ＳＤのデータ部に構築する。形式はＣ＿ＤＡＴＡの回付先部と同じである。回付先に選択された名前を図１６（ｂ）に示すアンテナ位置リストＨ＿ＡＴから検索し、インデックスをＡＴ部に設定する。ステップＳ４１０では、Ｈ＿ＳＤを送信する。
【００５４】
ステップＳ４１１では、図９の位置問い合わせ画面５６を表示部２２に表示し、ステップＳ４１２で、入力されたクリップ１０のＩＤをインデックス変数Ｈ＿ＩＤに入れる。ステップＳ４１３では、Ｈ＿ＩＤが示すクリップの位置は図１６（ａ）に示すＨ＿ＬＩＳＴ［Ｈ＿ＩＤ］に保持されており、これを表示部２２に表示する。また、Ｈ＿ＡＴ［Ｈ＿ＬＩＳＴ［Ｈ＿ＩＤ］］にはクリップの位置がどの席にあるかという情報が保持されており、これを表示部２２に表示する。
【００５５】
ステップＳ４１４では、データを受信したアンテナがどれかを特定し、変数ａに入れる。
【００５６】
ステップＳ４１５では、受信したデータを受信用データ領域Ｈ＿ＲＤに書き込んでステップＳ４１６に進み、Ｈ＿ＲＤのコマンド部をチェックし、「位置送信」の場合にはステップＳ４１７へ、「回付終了」の場合にはステップＳ４２０へ進む。
【００５７】
ステップＳ４１７では、クリップ１０の位置データを変更するため、データを送信したクリップ１０の位置として変数ａをＨ＿ＬＩＳＴにコピーする。
【００５８】
ステップＳ４１８では、図１５に示す、送信データ領域Ｈ＿ＳＤのコマンド部に「位置データ」を、データ部に変数ａの内容を、ＩＤ部にＨ＿ＲＤのＩＤ部の内容を書き込む。
【００５９】
ステップＳ４１９では、Ｈ＿ＳＤを一斉に送信する。
ステップＳ４２０では、回付が終了したことを表すため、Ｈ＿ＬＩＳＴのクリップＩＤ位置に「終了」を書き込む。
【００６０】
ステップＳ４２１では、図１０に示すように回付終了画面５７を表示部２２に表示する。
【００６１】
ステップＳ４２２では、クリップ１０の回付データを登録した際の入力者名宛てに終了した旨の電子メールを電子メール送信部２１２によって発信する。
【００６２】
これらのステップによって、書類等の位置特定、クリップ上での回付先／期限の表示、回付終了時のメール発信が可能となる。
【００６３】
なお、回付する対象は、上記した実施形態に示す「書類」に限定されるものではない。
【００６４】
【発明の効果】
以上のように本発明によれば、クリップから発信される通信電波をホストコンピュータに接続されたアンテナで受信することにより、アンテナの位置から回付している書類等の位置を特定し、追跡することができる。また、電波強度を調整することで、位置検出を行いたい範囲に限定することができる。
【００６６】
また本発明によれば、定期的に発信を行うことで、位置特定精度を高めることができる。
【００６７】
また本発明によれば、書類等の移動速度に応じた発信間隔を設定することで、クリップの消費電力を抑えることができる。
【００６８】
また本発明によれば、ホストコンピュータから受信したデータの履歴を記憶し確認することができる。
【００６９】
また本発明によれば、受信したデータをクリップ上に表示することで、各データを確認することができ、効率よく書類などを回付することができる。
【００７０】
また本発明によれば、回付先および回付期限を表示することで、回付先と期限とを目で確認することができ、速やかに回付することができる。
【００７１】
また本発明によれば、回付を開始した人が、電子メールによって、回付が終了したことを知ることができる。
【図面の簡単な説明】
【図１】無線装置付クリップ１０の構成を示すブロック図である。
【図２】ホストコンピュータ２０の構成を示すブロック図である。
【図３】無線装置付クリップ１０の処理動作を示すフローチャートである。
【図４】ホストコンピュータ２０の処理動作を示すフローチャートである。
【図５】無線装置付クリップ１０の外観図である。
【図６】ホストコンピュータ２０の初期画面５３のイメージ図である。
【図７】ホストコンピュータ２０のデータ登録画面５４のイメージ図である。
【図８】ホストコンピュータ２０の回付先変更画面５５のイメージ図である。
【図９】ホストコンピュータ２０の位置問い合わせ画面５６のイメージす図である。
【図１０】ホストコンピュータ２０の回付終了画面５７のイメージ図である。
【図１１】無線装置付クリップ１０のデータ形式Ｃ＿ＲＤを表す図である。
【図１２】無線装置付クリップ１０のデータ形式Ｃ＿ＤＡＴＡを表す図である。
【図１３】無線装置付クリップ１０のデータ形式Ｃ＿ＳＤを表す図である。
【図１４】無線装置付クリップ１０のデータ形式Ｃ＿ＨＩＳを表す図である。
【図１５】ホストコンピュータ２０のデータ形式Ｈ＿ＳＤを表す図である。
【図１６】ホストコンピュータ２０のデータ形式Ｈ＿ＬＩＳＴおよびＨ＿ＡＴを表す図である。
【図１７】ホストコンピュータ２０のデータ形式Ｈ＿ＲＤを表す図である。
【符号の説明】
１０  無線装置付クリップ
１１  ＣＰＵ（中央演算処理装置）
１２  表示部
１３  表示制御部
１４  不揮発性メモリ
１５  メインメモリ
１６  時刻発生装置
１７  バッテリ
１８  無線通信制御部
１９  アンテナ
２０  ホストコンピュータ
２１  ＣＰＵ
２２  表示部
２３  表示制御部
２４  キーボード
２５  キーボード制御部
２６  不揮発性メモリ
２７  メインメモリ
２８  時刻発生装置
２９  無線通信制御部
２１０，２１１  アンテナ
２１２  電子メール送信部
２１３  通信制御部
２１４  ネットワーク
【図１】
0004398077.tif 000002
【図２】
0004398077.tif 000003
【図３】
0004398077.tif 000004
【図４】
0004398077.tif 000005
【図５】
0004398077.tif 000006
【図６】
0004398077.tif 000007
【図７】
0004398077.tif 000008
【図８】
0004398077.tif 000009
【図９】
0004398077.tif 000010
【図１０】
0004398077.tif 000011
【図１１】
0004398077.tif 000012
【図１２】
0004398077.tif 000013
【図１３】
0004398077.tif 000014
【図１４】
0004398077.tif 000015
【図１５】
0004398077.tif 000016
【図１６】
0004398077.tif 000017
【図１７】
0004398077.tif 000018